【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
ハードドライブ電力消費を制御するための方法であって、
ハードドライブの群におけるハードドライブの障害が、前記ハードドライブの群における第１のハードドライブが電力状態を変更することを妨げるかどうかを判定することと、
障害が、前記ハードドライブの群における前記第１のハードドライブが電力状態を変更することを妨げない場合、キャッシュ内のデータを前記第１のハードドライブ上のデータと同期させることと、
前記キャッシュ内のデータおよび前記第１のハードドライブ上のデータが同期された後、前記第１のハードドライブを読取り専用モードでマウントすることと、
前記キャッシュ内のデータおよび前記第１のハードドライブ上のデータが同期された後、前記第１のハードドライブによって消費される電力を低減させることと、
を含む、方法。
【請求項２】
同一の時間の間に、前記第１のハードドライブが前記読取り専用モードでマウントされ、かつ前記第１のハードドライブによって消費される電力が低減される、請求項１に記載の方法。
【請求項３】
前記第１のハードドライブおよび第２のハードドライブに電力低減コマンドを並列に送信することをさらに含む、請求項２に記載の方法。
【請求項４】
前記第１および前記第２のハードドライブは、前記電力低減コマンドに応答して、高電力消費状態から低電力消費状態に遷移する、請求項３に記載の方法。
【請求項５】
ハードドライブ電力消費を制御するための方法であって、
キャッシュ内のデータを第１のハードドライブ上のデータと同期させることと、
前記キャッシュ内のデータおよび前記第１のハードドライブ上のデータが同期された後、前記第１のハードドライブを読取り専用モードでマウントすることと、
前記第１のハードドライブおよび第２のハードドライブに電力低減コマンドを並列に送信することと、
前記キャッシュ内のデータおよび前記第１のハードドライブ上のデータが同期された後、前記第１のハードドライブによって消費される電力を低減させることであって、同一の時間の間に、前記第１のハードドライブが前記読取り専用モードでマウントされ、かつ前記第１のハードドライブによって消費される電力が低減され、前記第１および前記第２のハードドライブは、前記電力低減コマンドに応答して、高電力消費状態から低電力消費状態に遷移する、前記低減させることと、
予め設定された時間間隔の後、ハードドライブの群におけるあらゆるハードドライブが低電力消費状態で動作しているかどうかを検出することであって、前記ハードドライブの群は、前記第１および第２のハードドライブを含む、前記検出することと、
前記ハードドライブの群に前記ハードドライブが前記低電力消費状態で動作していない場合、前記低電力消費状態で動作していない前記ハードドライブの群からの全てのハードドライブを前記低電力消費状態に変換することと、
を含む、方法。
【請求項６】
前記第１のハードドライブに障害が存在するとき、前記ハードドライブの群の前記第１のハードドライブの電力消費状態における変更を防止することをさらに含む、請求項５に記載の方法。
【請求項７】
前記第１のハードドライブを低電力消費状態から高電力消費状態に変換するために、前記ハードドライブの群における前記第１のハードドライブを読取り／書込みモードでマウントすることをさらに含む、請求項５に記載の方法。
【請求項８】
前記第１のハードドライブが前記読取り／書込みモードでマウントされた後、前記ハードドライブの群における前記第１のハードドライブにアクセスすることによって、前記ハードドライブの群における前記第１のハードドライブを起動することをさらに含む、請求項７に記載の方法。
【請求項９】
ハードドライブ電力消費を制御するための装置であって、前記装置は、
いくつかの前提条件が満たされたとき、開始コマンドを受信し、前記いくつかの前提条件は、ハードドライブ電力消費の既存のログファイル、ハードドライブの空でない構成ファイル、サービスを分析するファイル、および実行許可を保持する前処理モードのファイルのうちの１つまたは複数を含み、
前記開始コマンドが受信された後、キャッシュ内のデータを前記ハードドライブ上のデータと同期させ、
前記キャッシュ内のデータおよび前記ハードドライブ上のデータが同期された後、前記ハードドライブを読取り専用モードでマウントし、
前記キャッシュ内のデータおよび前記ハードドライブ上のデータが同期された後、前記ハードドライブによって消費される電力を低減させる
中央処理装置（ＣＰＵ）を含む、装置。
【請求項１０】
ハードドライブ電力消費を制御するための方法であって、
キャッシュ内のデータをハードドライブ上のデータと同期させることと、
前記キャッシュ内のデータおよび前記ハードドライブ上のデータが同期された後、前記ハードドライブを読取り専用モードでマウントすることと、
前記キャッシュ内のデータおよび前記ハードドライブ上のデータが同期された後、前記ハードドライブによって消費される電力を低減させることと、
電力を低減させた後の予め設定された時間間隔の後、前記ハードドライブが低電力消費状態で動作しているかどうかを検出することと、
前記ハードドライブが前記低電力消費状態で動作していない場合、前記ハードドライブを前記低電力消費状態に変換することと、
を含む、方法。
【請求項１１】
プログラム命令を組み込んだ非一時的コンピュータ可読記憶媒体であって、前記プログラム命令は、プロセッサによって実行されるとき、ハードドライブ電力消費を制御するための方法を前記プロセッサに実行させ、前記方法は、
ハードドライブの群におけるハードドライブの障害が、前記ハードドライブの群における第１のハードドライブが電力状態を変更することを妨げるかどうかを判定することと、
障害が、前記ハードドライブの群における前記第１のハードドライブが電力状態を変更することを妨げない場合、キャッシュ内のデータを前記第１のハードドライブ上のデータと同期させることと、
前記キャッシュ内のデータおよび前記第１のハードドライブ上のデータが同期された後、前記第１のハードドライブを読取り専用モードでマウントすることと、
前記キャッシュ内のデータおよび前記第１のハードドライブ上のデータが同期された後、前記第１のハードドライブによって消費される電力を低減させることと、
を含む、媒体。
【請求項１２】
同一の時間の間に、前記第１のハードドライブが読取り専用モードでマウントされ、かつ前記第１のハードドライブによって消費される電力が低減される、請求項１１に記載の媒体。
【請求項１３】
前記方法は、前記第１のハードドライブおよび第２のハードドライブに電力低減コマンドを並列に送信することをさらに含む、請求項１２に記載の媒体。
【請求項１４】
前記第１および前記第２のハードドライブは、前記電力低減コマンドに応答して、高電力消費状態から低電力消費状態に遷移する、請求項１３に記載の媒体。
【請求項１５】
プログラム命令を組み込んだ非一時的コンピュータ可読記憶媒体であって、前記プログラム命令は、プロセッサによって実行されるとき、ハードドライブ電力消費を制御するための方法を前記プロセッサに実行させ、前記方法は、
キャッシュ内のデータを第１のハードドライブ上のデータと同期させることと、
前記キャッシュ内のデータおよび前記第１のハードドライブ上のデータが同期された後、前記第１のハードドライブを読取り専用モードでマウントすることと、
前記第１のハードドライブおよび第２のハードドライブに電力低減コマンドを並列に送信することと、
前記キャッシュ内のデータおよび前記第１のハードドライブ上のデータが同期された後、前記第１のハードドライブによって消費される電力を低減させることであって、同一の時間の間に、前記第１のハードドライブが前記読取り専用モードでマウントされ、かつ前記第１のハードドライブによって消費される電力が低減され、前記第１および前記第２のハードドライブは、前記電力低減コマンドに応答して、高電力消費状態から低電力消費状態に遷移する、前記低減させることと、
予め設定された時間間隔の後、ハードドライブの群におけるあらゆるハードドライブが低電力消費状態で動作しているかどうかを検出することと、
前記低電力消費状態で動作していない前記ハードドライブの群における全てのハードドライブを前記低電力消費状態に変換することと、
を含む、媒体。
【請求項１６】
前記方法は、前記第１のハードドライブに障害が存在するとき、前記ハードドライブの群の前記第１のハードドライブの電力消費状態における変更を防止することをさらに含む、請求項１５に記載の媒体。
【請求項１７】
前記方法は、
前記ハードドライブの群における前記第１のハードドライブを低電力消費状態から高電力消費状態に変換するために、前記ハードドライブの群における前記第１のハードドライブを読取り／書込みモードでマウントすることと、
前記第１のハードドライブが前記読取り／書込みモードでマウントされた後、前記ハードドライブの群における前記第１のハードドライブにアクセスすることによって、前記ハードドライブの群における前記第１のハードドライブを起動することと、
をさらに含む、請求項１３に記載の媒体。
【請求項１８】
プログラム命令を組み込んだ非一時的コンピュータ可読記憶媒体であって、前記プログラム命令は、プロセッサによって実行されるとき、ハードドライブ電力消費を制御するための方法を前記プロセッサに実行させ、前記方法は、
キャッシュ内のデータをハードドライブ上のデータと同期させることと、
前記キャッシュ内のデータおよび前記ハードドライブ上のデータが同期された後、前記ハードドライブを読取り専用モードでマウントすることと、
前記キャッシュ内のデータおよび前記ハードドライブ上のデータが同期された後、前記ハードドライブによって消費される電力を低減させることと、
電力を低減させた後の予め設定された時間間隔の後、前記ハードドライブが低電力消費状態で動作しているかどうかを検出することと、
前記ハードドライブが前記低電力消費状態で動作していない場合、前記ハードドライブを前記低電力消費状態に変換することと、
を含む、媒体。
【請求項１９】
プログラム命令を組み込んだ非一時的コンピュータ可読記憶媒体であって、前記プログラム命令は、プロセッサによって実行されるとき、ハードドライブ電力消費を制御するための方法を前記プロセッサに実行させ、前記方法は、
いくつかの前提条件が満たされたとき、開始コマンドを受信することであって、前記いくつかの前提条件は、ハードドライブ電力消費の既存のログファイル、ハードドライブの空でない構成ファイル、サービスを分析するファイル、および実行許可を保持する前処理モードのファイルのうちの１つまたは複数を含む、前記受信することと、
前記開始コマンドが受信された後、キャッシュ内のデータを前記ハードドライブ上のデータと同期させることと、
前記キャッシュ内のデータおよび前記ハードドライブ上のデータが同期された後、前記ハードドライブを読取り専用モードでマウントすることと、
前記キャッシュ内のデータおよび前記ハードドライブ上のデータが同期された後、前記ハードドライブによって消費される電力を低減させることと、
を含む、媒体。
【請求項２０】
ハードドライブ電力消費を制御するための装置であって、前記装置は、
ハードドライブの群におけるいずれかのハードドライブに障害が存在するかどうかを検出するハードドライブ検出器と、
ハードドライブの群におけるハードドライブの障害が、前記ハードドライブの群における第１のハードドライブが電力状態を変更することを妨げるかどうかを判定し、
障害が、前記ハードドライブの群における前記第１のハードドライブが電力状態を変更することを妨げない場合、キャッシュ内のデータを前記第１のハードドライブ上のデータと同期させ、
前記ハードドライブの群におけるいずれのハードドライブに障害が検出されなかった場合、前記キャッシュ内のデータおよび前記第１のハードドライブ上のデータが同期された後、前記第１のハードドライブを読取り専用モードでマウントし、
前記キャッシュ内のデータおよび前記第１のハードドライブ上のデータが同期された後、前記第１のハードドライブによって消費される電力を低減させる、
中央処理装置（ＣＰＵ）に対する前記ハードドライブ検出器に結合された電力消費コントローラと、
を含む、装置。
【請求項２１】
ハードドライブ電力消費を制御するための方法であって、
いくつかの前提条件が満たされたとき、開始コマンドを受信することであって、前記いくつかの前提条件は、第１のハードドライブ電力消費の既存のログファイル、ハードドライブの群における第１のハードドライブの空でない構成ファイル、サービスを分析するファイル、および実行許可を保持する前処理モードのファイルのうちの１つまたは複数を含む、前記受信することと、
前記開始コマンドが受信された後、キャッシュ内のデータを前記第１のハードドライブ上のデータと同期させることと、
前記キャッシュ内のデータおよび前記第１のハードドライブ上のデータが同期された後、前記第１のハードドライブを読取り専用モードでマウントすることと、
前記キャッシュ内のデータおよび前記第１のハードドライブ上のデータが同期された後、前記第１のハードドライブによって消費される電力を低減させることと、
を含む、方法。
【請求項２２】
ハードドライブ電力消費を制御するための方法であって、
いくつかの前提条件が満たされたとき、開始コマンドを受信することであって、前記開始コマンドは、ハードドライブの群内のハードドライブ電力消費に対して変更が行われることを可能にする、前記受信することと、
前記開始コマンドが受信された後、キャッシュ内のデータを前記ハードドライブの群におけるハードドライブ上のデータと同期させることと、
前記キャッシュ内のデータおよび前記ハードドライブ上のデータが同期された後、前記ハードドライブを読取り専用モードでマウントすることと、
前記キャッシュ内のデータおよび前記ハードドライブ上のデータが同期された後、前記ハードドライブによって消費される電力を低減させることと、
停止コマンドを受信することであって、前記停止コマンドは、前記ハードドライブの群内のハードドライブ電力消費に対して変更が行われることを不可能にする、前記受信することと、
を含む、方法。
【請求項２３】
ハードドライブ電力消費を制御するための装置であって、前記装置は、
キャッシュ内のデータをハードドライブ上のデータと同期させ、
前記キャッシュ内のデータおよび前記ハードドライブ上のデータが同期された後、前記ハードドライブを読取り専用モードでマウントし、
前記キャッシュ内のデータおよび前記ハードドライブ上のデータが同期された後、前記ハードドライブによって消費される電力を低減させ、
電力を低減させた後の予め設定された時間間隔の後、前記ハードドライブが低電力消費状態で動作しているかどうかを検出し、
前記ハードドライブが低電力消費状態で動作していない場合、前記ハードドライブを前記低電力消費状態に遷移させる、
中央処理装置（ＣＰＵ）を含む、装置。
【請求項２４】
プログラム命令を組み込んだ非一時的コンピュータ可読記憶媒体であって、前記プログラム命令は、プロセッサによって実行されるとき、ハードドライブ電力消費を制御するための方法を前記プロセッサに実行させ、前記方法は、
いくつかの前提条件が満たされたとき、開始コマンドを受信することであって、前記開始コマンドは、ハードドライブの群内のハードドライブ電力消費に対して変更が行われることを可能にする、前記受信することと、
キャッシュ内のデータを前記ハードドライブの群におけるハードドライブ上のデータと同期させることと、
前記キャッシュ内のデータおよび前記ハードドライブ上のデータが同期された後、前記ハードドライブを読取り専用モードでマウントすることと、
前記キャッシュ内のデータおよび前記ハードドライブ上のデータが同期された後、前記ハードドライブによって消費される電力を低減させることと、
停止コマンドを受信することであって、前記停止コマンドは、前記ハードドライブの群内のハードドライブ電力消費に対して変更が行われることを不可能にする、前記受信することと、
を含む、媒体。
【請求項２５】
ハードドライブ電力消費を制御するための装置であって、前記装置は、
いくつかの前提条件が満たされたとき、開始コマンドを受信し、前記開始コマンドは、ハードドライブの群内のハードドライブ電力消費に対して変更が行われることを可能にし、
キャッシュ内のデータを前記ハードドライブの群におけるハードドライブ上のデータと同期させ、
前記キャッシュ内のデータおよび前記ハードドライブ上のデータが同期された後、前記ハードドライブを読取り専用モードでマウントし、
前記キャッシュ内のデータおよび前記ハードドライブ上のデータが同期された後、前記ハードドライブによって消費される電力を低減させ、
停止コマンドを受信し、前記停止コマンドは、前記ハードドライブの群内のハードドライブ電力消費に対して変更が行われることを不可能にする、
中央処理装置（ＣＰＵ）を含む、装置。